(57)【特許請求の範囲】
【請求項１】
少なくとも表示部を備えた第１の筐体と、
第２の筐体と、
前記第１の筐体上に設けられ、当該第１の筐体の表示部を囲う外周に沿って回転可能となされた回転操作子と、
前記回転操作子上に形成され、前記回転操作子を回転させる突起部と、
前記回転操作子を回転操作した際の回転位置の目印である指標部と、
前記回転操作子の回転方向及び回転量を検出する回転操作子回転検出部と、
前記第１，第２の二つの筐体を相対的に回動自在に連結する連結部と、
前記連結部を介して相対的に回動操作された前記第１の筐体と第２の筐体との間の相対角度を検出する筐体相対角度検出部と、
複数のアプリケーションプログラムの中から、前記筐体相対角度検出部が検出した前記第１の筐体と第２の筐体との間の相対角度に応じたアプリケーションプログラムを選択的に起動させるアプリケーション起動制御部と、
前記第１の筐体と第２の筐体の相対角度に応じて起動したアプリケーションプログラムの実行を、前記回転操作子回転検出部の出力に応じて制御する実行制御部とを有することを特徴とする携帯通信端末。
【請求項２】
請求項１記載の携帯通信端末であって、
前記筐体相対角度検出部が検出した前記第１の筐体と第２の筐体との間の相対角度が基準角度から所定角度以上に変化した時、前記第１の筐体の表示部の画面上に、前記複数のアプリケーションプログラムに各々対応したアイコンを、それら各アプリケーションプログラムが起動される相対角度に応じて配置表示させる表示制御部を有することを特徴とする携帯通信端末。
【請求項３】
請求項２記載の携帯通信端末であって、
前記表示制御部は、前記第１の筐体の表示部の画面上に、アプリケーションプログラムの実行中に選択可能となされる複数の情報の各々に対応したアイコンを、前記回転操作子の外形に略々対応させて円形配置表示させることを特徴とする携帯通信端末。
【請求項４】
請求項１記載の携帯通信端末であって、
前記連結部は、前記第１の筐体の主面と第２の筐体の主面とが略々並行となる状態を保って前記第１，第２の筐体を相対的に回動自在に連結することを特徴とする携帯通信端末。
【請求項５】
請求項１記載の携帯通信端末であって、
前記第２の筐体は、ストラップ紐を自動巻き取り機構により引きだし可能な状態で巻き取って収納するストラップ巻き取り収納部を備えていることを特徴とする携帯通信端末。
【発明の詳細な説明】
【技術分野】
【０００１】
本発明は、例えば携帯電話端末等の携帯通信端末に関する。
【背景技術】
【０００２】
近年は携帯電話端末の普及が進み、大人だけでなく、子供も携帯電話端末を持ち歩くことが多くなってきている。
【０００３】
一方、市場に出回っている携帯電話端末には様々なデザインや操作性を備えたものがあり、ユーザは、それら様々なデザインや操作性を備えた多数の携帯電話端末の中から、自分の好みのデザインや操作性を有するものを購入して使っている。
【０００４】
なお、特開２００３−８６９５号の公開特許公報（特許文献１）には、操作部と表示部が互いに変更自在に連結され、操作部と表示部を互いに連結する回転支持部に回転位置検出センサが取り付けられ、互いに連結されている操作部と表示部の予め設定されている相対的位置毎に装着部に装着されたメモリカードに格納されているアプリケーションプログラムがそれぞれ対応されていて、回転位置検出センサによって検出される操作部と表示部の相対的位置に対応してアプリケーションプログラムが自動的に起動されるような携帯情報端末機が開示されている。
【０００５】
【特許文献１】特開２００３−８６９５号公報（図３）
【発明の開示】
【発明が解決しようとする課題】
【０００６】
ところで、子供等に持たせることをコンセプトとした携帯電話端末を商品化する場合には、大人向けに販売されている携帯電話端末のデザインや操作性とは異なるものが要求されるようになると考えられる。すなわち、大人よりも手が小さく、細かい操作に不慣れな子供にとって、持ち易く且つ扱い易い携帯電話端末を商品化することが必要になると考えられる。
【０００７】
また、現在の携帯電話端末においては、例えば、電話を架けたり、電子メールの作成や送受信、アドレス帳の編集、内蔵された電子ゲーム等の所望のアプリケーションを実行させる場合には、例えば、階層化された多数のメニューの中から、所望のアプリケーションを実行させるために必要なメニューを探し出し、さらに、その探し出したメニュー上で様々な選択操作等を行わなければならず、子供がそれらを総て理解して使いこなすのは難しい。
【０００８】
本発明は、このような実情に鑑みて提案されたものであり、例えば子供に持たせるような場合において、子供にとって理解し易く且つ使い易い携帯通信端末を提供することを目的とする。
【課題を解決するための手段】
【０００９】
本発明の携帯通信端末は、少なくとも表示部を備えた第１の筐体と、第２の筐体と、第１の筐体上に設けられ、当該第１の筐体の表示部を囲う外周に沿って回転可能となされた回転操作子と、回転操作子上に形成され、回転操作子を回転させる突起部と、回転操作子を回転操作した際の回転位置の目印である指標部と、回転操作子の回転方向及び回転量を検出する回転操作子回転検出部と、第１，第２の二つの筐体を相対的に回動自在に連結する連結部と、連結部を介して相対的に回動操作された第１，第２の筐体間の相対角度を検出する筐体相対角度検出部と、複数のアプリケーションプログラムの中から、筐体相対角度検出部が検出した第１，第２の筐体との間の相対角度に応じたアプリケーションプログラムを選択的に起動させるアプリケーション起動制御部と、第１，第２の筐体の相対角度に応じて起動したアプリケーションプログラムの実行を、回転操作子回転検出部の出力に応じて制御する実行制御部とを有することにより、上述した課題を解決する。
【００１０】
すなわち本発明によれば、第１，第２の筐体を相対的に回転させることでアプリケーションプログラムを起動可能とし、また、回転操作子を回転させることでアプリケーションの実行制御を行うようになされている。
【発明の効果】
【００１１】
本発明においては、第１，第２の筐体を相対的に回転させる簡単な操作でアプリケーションプログラムが起動可能となされており、また、回転操作子を回転させる簡単な操作でアプリケーションの実行制御を行うようになされているため、例えば子供が使用する場合に、その子供にとって理解し易く且つ使い易い携帯通信端末を提供できる。
【発明を実施するための最良の形態】
【００１２】
以下、図面を参照しながら、本発明の携帯通信端末の一実施形態について説明する。
【００１３】
なお、本実施形態では、本発明の携帯通信端末の一例として、携帯電話端末を挙げているが、勿論、ここで説明する内容はあくまで一例であり、本発明はこの例に限定されないことは言うまでもない。
【００１４】
〔携帯電話端末の外観及び構成〕
図１〜図６には、本発明実施形態の携帯電話端末１の概略的な外観を示す。なお、図１，図３〜図６には本実施形態の携帯電話端末の正面図、図２には側面図を示している。
【００１５】
本実施形態の携帯電話端末１は、上部筐体２と下部筐体３とからなる。
【００１６】
上部筐体２は、その内部に後述する回路構成を備え、上主面側にディスプレイ５とカメラ部６、例えば三つのボタン８、リング状の回転ダイヤル部７等を備えている。
【００１７】
リング状回転ダイヤル部７は、図１中の矢印Ｙａ方向に回転可能となされており、そのリングの内側にディスプレイ５が配されている。また、リング状回転ダイヤル部７には、指等により当該リング状回転ダイヤル部７を回転操作し易くするための突起部７ａと、当該リング状回転ダイヤル部７を回転操作した時の回転位置の目印となる指標部７ｂが設けられている。そして、上部筐体２内には、上記リング状回転ダイヤル部７を回転させた時の回転方向と回転量、回転角度を検出するためのダイヤル回転検出部も備えられている。
【００１８】
ディスプレイ５は、液晶等の平面表示デバイスからなる。当該ディスプレイ５の画面上には、例えば電話番号や電子メールの文字、アイコン、写真画像、いわゆるテレビ電話の画像等が表示される。
【００１９】
カメラ部６は、レンズ系と撮像デバイスを有し、いわゆるデジタルカメラやビデオカメラとして機能し、また、テレビ電話による通話時にはテレビ電話用の画像撮影を行う。
【００２０】
三つのボタン８は、それぞれ所定の電話番号や電子メールアドレスに対応付けられた押下操作可能な操作子である。それら三つのボタン８のうちの所望の一つのボタンがユーザにより押された時、本実施形態の携帯電話端末１は、当該押されたボタンに対応付けられている電話番号への発呼、若しくは、電子メールアドレスへの発信を行う。なお、それらボタン８の何れかが、予め決められた一定時間以上押された場合にはテレビ電話機能を起動させ、そのボタンに対して登録されている相手先端末との間でテレビ電話による通信ができるようにしても良い。
【００２１】
下部筐体３は、その内部に回路構成を備えている。当該下部筐体３の筐体側面には、ストラップ取り付け部４が設けられ、また、当該下部筐体３の筐体内部には、ストラップ紐９が自動巻き取り機構により引き出し可能な状態で巻き取られて収納されている。自動巻き取り機構は、ストラップ紐９が引き出された場合には、その引き出し長を保持するための機構と、引き出された状態のストラップ紐９を軽く引いてから手を離すことで自動的に内部へ巻き取る機構とを備えている。また、上記ストラップ紐９の先端には、ストラップ取り付け部４のリングに通すフック部（図示は省略する）が設けられている。したがって、本実施形態の携帯電話端末１では、上記ストラップ紐９を所望の長さまで引き出し、上記フック部をストラップ取り付け部４のリング部に掛けることにより、長さを可変できるストラップが形成されることになる。
【００２２】
また、上記上部筐体２と下部筐体３との間には、それら筐体間を相対的に回転可能とするための回転連結機構と、それら筐体間の相対的な回転角度を検出するための筐体回転検出部も備えられている。すなわち、本実施形態の携帯電話端末１によれば、上記回転連結機構を備えているため、図３や図５の図中矢印Ｙｂに示すように上部筐体２と下部筐体３を相対的に回転させることができ、また、筐体回転検出部により上記上部筐体２と下部筐体３との間の相対的な回転角度を検出可能となされている。
【００２３】
〔筐体間の相対的な回転操作によるアプリケーション起動機能〕
ここで、本実施形態の携帯電話端末１は、上部筐体２と下部筐体３との間の相対的な回転操作により、アプリケーションの選択が可能となされている。例えば、図４に示すように、上部筐体２と下部筐体３との相対的回転角度が０度（基準回転角度）である時には、着信待ち受け状態のアプリケーションが起動した状態となる。なお、図４では、着信待ち受け状態となされている時の待ち受け画面として、ディスプレイ５上に時計の画像が表示されている例を挙げている。
【００２４】
一方、上部筐体２と下部筐体３との相対的回転角度が変えられた場合、本実施形態の携帯電話端末１は、例えば図５に示すように、選択可能な複数のアプリケーションに対応したアイコン１０ａ〜１０ｄをディスプレイ５の画面上に表示させる。なお、図５では、アイコン１０ａが電話アプリケーションに対応し、アイコン１０ｂが電子ゲームアプリケーションに対応し、アイコン１０ｃが電子メールアプリケーションに、アイコン１０ｄがビデオクリップアプリケーションに対応している例を挙げている。
【００２５】
そして、本実施形態の携帯電話端末１は、上部筐体２と下部筐体３の相対的回転角度が変えられる毎に、それらアイコン１０ａ〜１０ｄをディスプレイ５の画面の円周に沿って回転移動表示させると共に、その時の相対的回転角度に応じて、それらアイコン１０ａ〜１０ｄのうち何れか一つを、他のアイコンよりも例えば大きくしたり別の色にして区別可能に表示させる。上記他のアイコンと区別可能に表示されたアイコンは、当該アイコンに対応したアプリケーションが選択されている状態であることを表している。そして、本実施形態の携帯電話端末１は、そのアイコンに対応したアプリケーションを起動させる。なお、この時のアプリケーションの起動は、例えば、上部筐体２と下部筐体３の相対的回転角度を予め定めた一定時間だけ変化させないようにすることで行われたり、或いは、ディスプレイ５の下部に押下スイッチを設けておき、当該ディスプレイ５が押されることでその押下スイッチがオンになった時に行われたり、或いは、リング状回転ダイヤル部７の下部に押下スイッチを設けておき、当該リング状回転ダイヤル部７が押されることでその押下スイッチがオンになった時に行われる。勿論、このようなアプリケーションの起動例は一例であり、他の起動法を採用しても良い。
【００２６】
ここで、上記アイコン１０ａ〜１０ｄに対応した各アプリケーションのうち、例えばアイコン１０ｃに対応した電子メールアプリケーションが起動し、その電子メールアプリケーションにてメール文章の作成モードになると、携帯電話端末１は、ディスプレイ５上に例えば図６に示すようなメール作成画面を表示させる。勿論、この図６の表示例は一例であり、本発明はこの例に限定されないことは言うまでもない。
【００２７】
本実施形態の携帯電話端末１は、上記電子メールアプリケーションにてメール文章の作成が行われる時、ディスプレイ５の画面上には、図６の例に示すように、当該ディスプレイ５の円周に沿って、「あ行」を表す「あ」から、「わ行」を表す「わ」までの各「行」に対応したアイコン１３を表示させる。またこの時、本実施形態の携帯電話端末１は、それら各アイコン１３のうち、何れか一つのアイコン１３ａを他のアイコンよりも例えば大きくしたり別の色にして区別可能に表示（図６の例では大きく表示）させる。
【００２８】
さらに、本実施形態の携帯電話端末１は、上述したような各アイコン１３を表示している状態の時に、リング状回転ダイヤル部７が回転操作されると、その回転操作に応じて、上記他のアイコンと区別可能に表示されるアイコン１３ａを順次隣りのアイコンに変更する。そして、本実施形態の携帯電話端末１は、その状態で当該アイコン１３ａが選択されると、そのアイコン１３ａに対応した「行」の選択を確定する。なお、この時のアイコンの選択（つまり「行」の選択）は、例えば、リング状回転ダイヤル部７の回転を予め定めた一定時間だけ停止させることで行われたり、或いは、ディスプレイ５の下部に押下スイッチを設けておき、当該ディスプレイ５が押されることでその押下スイッチがオンになった時に行われたり、或いは、リング状回転ダイヤル部７の下部に押下スイッチを設けておき、当該リング状回転ダイヤル部７が押されることでその押下スイッチがオンになった時に行われる。勿論、これらアイコンの選択法は一例であり、他のやり方を採用しても良い。
【００２９】
上述のようにして「行」の選択が行われると、本実施形態の携帯電話端末１は、当該選択された「行」に含まれる「列」の各文字のアイコン１４を、そのアイコン１３ａの近傍（例えば内周側）に配列表示させる。なお、図６は、「さ行」が選択されることで、当該「さ行」に含まれる「さ」〜「そ」までの各文字のアイコン１４が表示された例を表している。またこの時、本実施形態の携帯電話端末１は、それら各文字のアイコン１４のうち、何れか一つのアイコン１４ａを他のアイコンよりも例えば大きくしたり別の色にして区別可能に表示（図６の例では大きく表示）させる。
【００３０】
また、本実施形態の携帯電話端末１は、上述したような各文字のアイコン１４が表示されている状態の時に、リング状回転ダイヤル部７が回転操作されると、その回転操作に応じて、上記他のアイコンと区別可能に表示されるアイコン１４ａを順次隣りのアイコンに変更する。そして、本実施形態の携帯電話端末１は、その状態で当該アイコン１４ａが選択されると、そのアイコン１４ａに対応した「文字」の選択を確定する。なお、この時のアイコンの選択法は、前述の「行」のアイコン選択と同様の手法を用いることができる。
【００３１】
このようにして「文字」の決定が行われると、本実施形態の携帯電話端末１は、例えばディスプレイ５の画面の中央部近辺に、それら順次決定された文字列１２を表示する。つまり、これら文字列１２が、作成途中の電子メール文となる。なお、図６は、文字列１２として「ゆうえんち」までの文字が確定し、その後にカーソル１１が表示されている例を示している。
【００３２】
なお、上述の説明では、上記リング状回転ダイヤル部７の回転操作により選択されるアイコンが「行」や「文字」に対応している例を挙げたが、上記リング状回転ダイヤル部７の回転操作により選択されるアイコンは、例えば、入力途中若しくは入力前後の文字や単語、文脈を元に予測される候補文字や候補単語に対応したアイコン、すなわちいわゆる予測文字変換処理で用いられる変換候補であっても良い。
【００３３】
上述した図６は、電子メールアプリケーションが起動してメール文章の作成画面が表示された例を表しているが、例えば、図５においてアイコン１０ｄに対応したアプリケーションが選択されると、本実施形態の携帯電話端末１は、例えば、既に撮影済みのビデオクリップの例えば先頭のサムネイル画像を、ディスプレイ５の画面円周に沿って表示させる。この例の図示については省略する。そして、それらサムネイル画像の中から、前述のアイコン選択の場合と同様に、リング状回転ダイヤル部７の操作によって何れかのサムネイル画像が選択されると、本実施形態の携帯電話端末１は、そのビデオクリップの再生を行ったり、或いは、そのビデオクリップのデータの外部への転送を行う。
【００３４】
〔筐体の回転操作或いはリング状回転ダイヤル部の回転操作による信号送信機能〕
ここで、本実施形態の携帯電話端末１は、上述したように、上部筐体２と下部筐体３を相対的に回転可能となされ、また、リング状回転ダイヤル部の回転操作が可能となされているため、従来の一般的な携帯電話端末では考えられないユニークな使用方法を実現可能となる。
【００３５】
上記ユニークな使用方法の一例として、本実施形態では、上部筐体２と下部筐体３の所定の回転操作、或いは、リング状回転ダイヤル部の所定の回転操作と、予め登録されている所定の電話番号への発呼や予め登録されている所定の電子メールアドレスへの送信とを連動させるようにしても良い。なお、以下の説明では、上部筐体２と下部筐体３の所定の回転操作のみを例に挙げる。また、上記上部筐体２と下部筐体３の所定の回転操作としては、例えば、上部筐体２と下部筐体３を素早く回転させたり、回転方向を素早く交互に反転させるような回転操作を挙げることができる。勿論、それらは一例であり、本発明はこの例に限定されないことは言うまでもない。
【００３６】
本実施形態において、上部筐体２と下部筐体３の所定の回転操作がなされた時、本実施形態の携帯電話端末１は、予め登録されている所定の電話番号へ自動発呼を行ったり、予め登録されている電子メールアドレスに宛てて、所定の緊急信号を自動送信するような信号自動送信機能を備えている。なお、上記所定の電話番号や所定の電子メールアドレスとしては、本実施形態の携帯電話端末１を子供が使用している場合、その子供の親等が所持している携帯電話端末の電話番号や電子メールアドレス、自宅の固定端末の電話番号やメールアドレス、後述するクレードルに設定されている電話番号や電子メールアドレス、親等が契約している警備会社の緊急用電話番号や緊急用電子メールアドレス等を挙げることができる。
【００３７】
このように、本実施形態の携帯電話端末１は、上部筐体２と下部筐体３の所定の回転操作がなされた時に、自動的に所定の信号を予め定めた電話番号や電子メールアドレスへ送信可能となされているため、この携帯電話端末１の使用者である子供が、例えば不審者等により連れ去られるような緊急事態が発生した場合、子供は、親や警備会社等に緊急事態が発生したことを直ちに連絡することが可能となる。これにより、親や警備会社はそのような緊急事態への迅速且つ適切な対処を行うことが可能となる。
【００３８】
なお、上述の説明では、上部筐体２と下部筐体３の所定の回転操作を例に挙げたが、リング状回転ダイヤル部の所定の回転操作に応じて、上述同様の緊急連絡を行うようにしても良い。
【００３９】
また、本実施形態の携帯電話端末１は、いわゆるＧＰＳ（Global Positioning System）機能を具備し、上記緊急連絡を行う際に、例えば予め登録されている所定の電話番号や所定の電子メールアドレスに宛てて、上記ＧＰＳ機能が検出した現在位置情報を自動送信する機能を備えていても良い。さらに、当該現在位置情報を自動送信する際には、例えば、テレビ電話機能を立ち上げ、カメラ部６により撮影した映像信号を同時に送信するようにしても良い。
【００４０】
〔テレビ電話使用時の位置情報送信機能〕
本実施形態の携帯電話端末１は、上述したように、緊急連絡と同時にテレビ電話機能の立ち上げを行った場合だけでなく、前記三つのボタン８の何れかのボタンの長押しによりテレビ電話機能の立ち上げを行った場合にも、上記現在位置情報を送信可能となされている。
【００４１】
そして、例えば子供の携帯電話端末１のＧＰＳ機能とテレビ電話機能が起動することで現在位置情報と映像信号が送信された場合、上記映像信号については携帯電話システムを通じて親の携帯電話端末へ送られ、現在位置情報については所定のナビゲーションサービスサーバを経由して親の携帯電話端末へ送られる。この時、所定のナビゲーションサービスサーバは、上記子供の携帯電話端末１の現在位置情報と共に、その位置を表示するための地図データを親の携帯電話端末へ送る。
【００４２】
これにより、親の携帯電話端末のディスプレイ１００の画面には、例えば図７に示すように、地図上に子供の現在位置１０２（携帯電話端末１の現在位置１０２）が表示されると共に、当該現在位置に対応した端末１からのテレビ電話映像ウィンドウ１０１が表示される。そして、子供が移動した場合には、当該親の携帯電話端末のディスプレイ１００の画面上の上記現在位置１０２も、上記子供の移動に応じて移動することになる。図７の例で表示されている地図の範囲から、現在位置１０２が外れるような場合には、所定のナビゲーションサービスサーバから、当該現在位置１０２をディスプレイ画面上に表示可能な新たな地図データが供給されることになる。なお、画面の例えば右下に表示されているウィンドウ１０３は、親の携帯電話端末のカメラ部により撮影されている親のテレビ電話映像用のウィンドウである。
【００４３】
このように、本実施形態の携帯電話端末１においては、ＧＰＳ機能とテレビ電話機能を起動させて、現在位置情報とテレビ電話映像信号を所定の相手先に宛てて送信可能となされているため、当該携帯電話端末１の使用者である子供が、例えば道に迷ってしまったために親へ連絡したい場合や、例えば外出先で怪我を負ってしまったために親へ連絡したい場合、或いは、外出時に親に迎えに来てもらう場合などに、自分の現在位置とテレビ電話映像を、親に自動的に連絡することが可能となる。これにより、親は、子供の現在位置に基づいて、子供に的確な指示を与えることが可能となる。
【００４４】
〔ＱＲコードの貼り付け〕
本発明実施形態の携帯電話端末１は、入力音声やテキスト、簡単な画像等をいわゆるＱＲ（Quick Response）コードに変換する機能と、そのＱＲコードの画像データを例えばカメラ部６により撮影された別の画像（例えば自分撮りの画像）等に付加する機能、印刷されたＱＲコードをカメラ部６により撮影し、その撮影画像からＱＲコードを認識して、音声やテキスト等を復元する機能をも備えている。
【００４５】
〔クレードルとの連携〕
本実施形態の携帯電話端末１は、図８や図９に示すような皿型形状のクレードル８０からの非接触給電により充電可能となされ、また、非接触通信によりクレードル８０との間でデータを送受信する機能を備えている。
【００４６】
本実施形態の携帯電話端末１から非接触通信によりクレードル８０へ送られるデータとしては、カメラ部６により撮影した静止画像や動画像データ、前述したＱＲコードが付加された画像のデータ、電子メールデータ、スケジュールデータ、コメント等のテキストデータなどを挙げることができる。また、当該クレードル８０は、或る携帯電話端末１から取り込んだデータを保存し、その後に別の携帯電話端末１に対して、上記保存しているデータを渡すことも可能となされている。
【００４７】
クレードル８０は、図８に示すように、皿型凹部８３を有する端末受皿部筐体８１と基台部筐体８２とで構成され、上記端末受皿部筐体８１と基台部筐体８２との間８４にはプリント用紙８７にカラー印刷を行うと共に図８中の矢印Ｙｄ方向に用意送りを行うプリンタ部が内蔵されている。当該プリンタ部では、上記携帯電話端末１から受信した静止画像データ（動画像から抜き出した静止画像データも含む）等のカラー印刷が行われる。特に、本実施形態によれば、当該プリンタ部は、前述したＱＲコードが付加された画像等のデータを印刷することも可能となされている。当該カラー印刷の開始は、例えば端末受皿部筐体８３に設けられている印刷ボタン８５の押下、若しくは、携帯電話端末１から送信される印刷開始コマンドの受信により開始される。
【００４８】
また、クレードル８０は、図９に示すように、近距離無線通信（ケーブルを用いた有線通信でも良い）により、例えばテレビジョン受像機９０に接続されており、上記携帯電話端末１から受信した静止画像や動画像データ、電子メールデータ、スケジュールデータ、コメント等のテキストデータなどを、上記テレビジョン受像機９０へ送信可能となされている。上記テレビジョン受像機９０へのデータ送信の開始は、例えば端末受皿部筐体８３に設けられている再生ボタン８６の押下、若しくは、携帯電話端末１が端末受皿部筐体８１の皿型凹部８３に置かれた時に当該携帯電話端末１から自動送信されるデータ送信開始コマンドの受信により開始され、これにより、テレビジョン受像機９０の画面上には、静止画像や動画像、テキストデータなどが表示されることになる。なお、クレードル８０に接続される機器は、テレビジョン受像機９０だけでなく、パーソナルコンピュータであっても良い。
【００４９】
さらに、クレードル８０は電話通信機能を備えていても良く、その電話通信機能の電話番号は前述した緊急連絡時に携帯電話端末１から信号自動送信がなされる宛先電話番号に設定されていても良い。これにより、例えば、前述の緊急連絡時に、その携帯電話端末１から現在位置情報とテレビ電話映像信号の自動送信がなされたような場合、当該クレードル８０に接続されたテレビジョン受像機９０の画面上には、例えば前述の図７のように、地図上に子供の現在位置１０２（携帯電話端末１の現在位置１０２）とテレビ電話映像ウィンドウ１０１のウィンドウが表示されることになる。なおこの場合、図７のウィンドウ１０３については表示されない。
【００５０】
〔携帯電話端末の内部構成〕
図１０には、前述した各機能を実現可能な本実施形態の携帯電話端末１の概略的な内部回路構成を示す。
【００５１】
図１０において、データラインは、音声データや電子メールデータ、画像データなの各種データを伝送するための伝送ラインである。
【００５２】
制御ラインは、ＣＰＵ（中央処理ユニット）により構成されている制御部３０からの制御データなどの各種制御情報を伝送するための伝送ラインである。
【００５３】
アンテナ３２は、前述した携帯電話端末１に内蔵されたアンテナであり、通信回路３１に接続され、信号電波を送受信するのに用いられる。
【００５４】
通信回路３１は、送受信信号の周波数変換、変調と復調等を行う。
【００５５】
ここで、上記アンテナ３２及び通信回路３１にて受信された通話音声データは音声処理部３６へ送られ、それ以外の受信データは、制御部３０へ送られて適切に処理された後、必要に応じて当該制御部３０から各部へ送られる。なお、通話音声以外の受信データは、パケット通信にかかるデータであり、例えば電子メールデータ、動画像や静止画の画像データ、音楽等のデータ、ＨＴＭＬ（Hyper Text Markup Language）データ、プログラムコードのデータ等を挙げることができる。
【００５６】
上記アンテナ３２及び通信回路３１から通話音声データが供給された時の音声処理部３６は、当該通話音声データを復号化し、その復号化後の通話音声データをアナログ音声信号に変換し、そのアナログ音声信号をスピーカ４０若しくは図示しないイヤホンジャックへ送る。
【００５７】
スピーカ４０は、前述した携帯電話端末１に内蔵され、供給されたアナログ音声信号を内部増幅器により増幅した後、その音声信号を可聴音声に変換して外部に出力する。これにより、スピーカ４０からは通話音声が出力されることになる。
【００５８】
マイクロホン４１は、前述した携帯電話端末１に内蔵され、入力音声をアナログ音声信号に変換すると共に内部増幅器により増幅し、さらにそのアナログ音声信号を音声処理部３６に送る。
【００５９】
上記マイクロホン４１から通話音声信号が供給された時の音声処理部３６は、その通話音声信号をディジタル音声データに変換した後に符号化し、さらにその符号化後の通話音声データを通信回路３１へ送る。これにより、アンテナ３２からは通話音声信号が送信されることになる。
【００６０】
表示部３３は、前述した携帯電話端末１の上部筐体２に設けられたディスプレイ５であり、液晶等の表示デバイス及び表示駆動回路を備え、ディスプレイの画面上に画像や文字等を表示する。
【００６１】
操作部３４は、ボタン部３４ａとダイヤル部３４ｂと本体回転部３４ｃを有する。ボタン部３４ａは、前述した携帯電話端末１の上部筐体２に設けられた三つのボタン８と、それらボタン８が操作された時の操作信号を発生する操作信号発生器とからなる。ダイヤル部３４ｂは、前述したリング状回転ダイヤル部７と、当該ダイヤル部７の回転操作に応じた操作信号を発生する操作信号発生器と、上記リング状回転ダイヤル部７の回転方向や回転量を検出するダイヤル回転検出部とからなる。上記本体回転部３４ｃは、前述した上部筐体２と下部筐体３の相対的な回転角度を検出し、その回転角度に応じた回転操作信号を生成する筐体相対角度検出部からなる。これらボタン部３４ａ、ダイヤル部３４ｂ、本体回転部３４ｃからの信号は、制御部３０に送られることになり、したがって、当該制御部３０は、上記ボタン部３４ａから三つのボタン８の何れかのボタンの押下操作信号が供給された時には、当該押されたボタンに対応付けられている電話番号への発呼、若しくは、電子メールアドレスへの発信を行うように通信回路３１を制御し、また、本体回転部３４ｃから上部筐体２と下部筐体３の相対的な回転操作信号が供給されたり、ダイヤル部３４ｂからリング状回転ダイヤル部７の回転操作信号が供給された時には、前述したアイコンの表示制御とアプリケーションプログラムの起動及び実行制御を行うことになる。
【００６２】
カメラ部４４は、前述した上部筐体２に設けられたカメラ部６であり、撮像デバイスにより光像を電気信号に変換して得られた静止画像や動画像のデータを生成し、画像処理部３７に送る。
【００６３】
画像処理部３７は、制御部３０による制御の元で内蔵メモリから読み出された圧縮符号化されている画像データを伸張復号化等し、その伸張復号後の画像データをデータラインを介して表示部３３へ送る。また、画像処理部３７は、カメラ部４４により撮影された静止画像や動画像のデータの圧縮符号化等を行い、その圧縮符号化された画像データを、制御部３０による制御の元で内蔵メモリに送って記憶させる。
【００６４】
メモリ部３５は、ＲＡＭ（Read Only Memory）とＲＡＭ（Random Access Memory）を含む。ＲＯＭは、ＯＳ（Operating System）、制御部３０が各部を制御するための制御プログラムや前述した本実施形態の各機能を実行するためのプログラムコード、各種の初期設定値、フォントデータ、辞書データ、着信音やキー操作音，アラーム音用の各種音データ、電子メールの作成や編集等を行うためのアプリケーション用のプログラムコード、画像や音声に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、静画像や動画像データ（ビデオクリックデータ等）、キー操作音，アラーム音用等の音データ、文字データや予測変換の候補単語の登録データや予測変換の学習データ、その他、各種のユーザ設定値等を保存することも可能となされている。ＲＡＭは、制御部３０が各種のデータ処理を行う際の作業領域として、随時データを格納する。
【００６５】
ＧＰＳ部４２は、ＧＰＳにおける測地衛星の発信する電波をＧＰＳ用アンテナ４３を介して受信すると共に、その受信電波に基づいて、自端末の現在位置の緯度及び経度を求める。このＧＰＳ部４２がＧＰＳ用アンテナ４３を介して受信したＧＰＳデータ（緯度，経度を表す情報）は制御部３０へ送られる。
【００６６】
ＬＥＤ（発光ダイオード）部４５は、三つのボタン８の照明用ＬＥＤや、リング状回転ダイヤル部７を発光させるためのＬＥＤ等と、それら各ＬＥＤの駆動回路とからなる。当該ＬＥＤ部４５は、制御部３０の制御の元で発光駆動される。
【００６７】
近距離無線通信部３８は、携帯電話端末１間で情報の交換を行う場合に用いられる。
【００６８】
非接触通信・電力部４７は、誘導電磁界による電磁誘導により、非接触状態で外部からの電力の供給を受けたり、非接触状態で信号の送受信を行うためのデバイスである。非接触状態で電力の供給を受ける場合、非接触通信・電力部４７は、外部からの誘導電磁界による電磁誘導によりコイルアンテナ４８で発生した電流をパワーマネージメントＩＣ４９に送る。これにより当該パワーマネージメントＩＣ４９は、バッテリ５０への充電を行う。また、非接触状態で信号の送受信を行う場合、非接触通信・電力部４７は、外部誘導電磁界からの電磁誘導によりコイルアンテナ４８で受信した信号を制御部３０へ送る。一方、非接触状態で信号の送受信を行う場合、非接触通信・電力部４７は、制御部３０から供給された送信信号に基づいて、コイルアンテナ４８により誘導電磁界を発生させることで、外部へ信号送信を行う。
【００６９】
バッテリ５０は、例えば着脱可能な二次電池であり、パワーマネージメントＩＣ４９は、バッテリ５０からの電力を各部へ供給する。また、上記非接触通信・電力部４７を介して外部から電力の供給を受けられる状態になっている場合において、パワーマネージメントＩＣ４９は、バッテリ５０の残容量が少ないときには、その外部からの電力によりバッテリ５０を充電する。
【００７０】
制御部３０は、ＣＰＵからなり、メモリ部３５に記憶されているＯＳや各種プログラムに基づいて、携帯電話端末の制御、前述した本実施形態のかかる各種機能を実現するための制御や各種演算を行う。
【００７１】
〔クレードルの内部構成〕
図１１には、前述の図８，図９に示した本実施形態にかかるクレードル８０の概略的な内部回路構成を示す。
【００７２】
図１１において、近距離無線通信部７５は、前述の図９に示したように、テレビジョン受像機９０との間でブルートゥース通信や赤外線通信により、静止画像や動画像データ、テキストデータなどの情報通信を行う。
【００７３】
操作部７２は、図８に示した端末受皿部筐体８３に設けられている印刷ボタン８５や再生ボタン８６と、それらボタン８５や８６が操作された時の操作信号を発生する操作信号発生器とからなる。
【００７４】
プリンタ部７１は、上記携帯電話端末１から送られた静止画像データ（動画像から抜き出した静止画像データやＱＲコードが付加された画像データも含む）等を、制御部７０カラー印刷を行う。
【００７５】
電話通信部７７は、前述した携帯電話端末１が緊急連絡を行う際に送信される信号を電話回線を介して受信するための電話受信機能部である。
【００７６】
非接触通信・給電部７３は、誘導電磁界による電磁誘導により、非接触状態で外部へ電力を供給したり、非接触状態で信号の送受信を行うためのデバイスである。非接触状態で外部つまり本実施形態の携帯電話端末１へ電力を供給する場合、非接触通信・給電部７３は、コイルアンテナ７４により誘導電磁界を発生させることで、携帯電話端末１への給電を行う。また、非接触状態で信号の送受信を行う場合、非接触通信・給電部７３は、外部（つまり本実施形態の携帯電話端末１）からの誘導電磁界の電磁誘導によりコイルアンテナ７４で受信した信号を制御部７０へ送る。一方、非接触状態で信号の送受信を行う場合、非接触通信・給電部７３は、制御部７０から供給された送信信号に基づいて、コイルアンテナ７４により誘導電磁界を発生させることで、外部（本実施形態の携帯電話端末１）へ信号送信を行う。
【００７７】
制御部７０は、ＣＰＵからなり、このクレードル８０の制御、前述した本実施形態にかかるクレードル８０の各種機能を実現するための制御や各種演算を行う。
【００７８】
〔まとめ〕
以上説明したように、本実施形態によれば、上部筐体２と下部筐体３の相対的な回転操作やリング状回転ダイヤル部７の回転操作により、アプリケーションの起動や実行制御、電子メールの文字入力、ビデオクリップの選択等が可能となされているため、本実施形態の携帯電話端末１を例えば子供が持つような場合に、その子供にとって理解し易く且つ使い易い携帯通信端末が実現可能となっている。
【００７９】
また、本実施形態によれば、緊急連絡の際に、自動的に所定の信号を予め定めた電話番号や電子メールアドレスへ送信可能となされているため、例えば子供を狙った犯罪の発生等により不測の事態が発生した場合に保護者等が迅速に対処可能である。
【００８０】
さらに、本実施形態によれば、三つのボタン８の操作により所定の電話番号への発呼や電子メールアドレスへの発信が行え、さらに、クレードル８０上に携帯電話端末１を置くだけで、自動的に充電と情報の送受信が行われるため、子供にとって使い易いものとなっている。
【００８１】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８２】
例えば、本発明の携帯通信端末は、携帯電話端末に限定されず、ＰＤＡ等の各種の携帯端末にも適用可能である。
【図面の簡単な説明】
【００８３】
【図１】本発明実施形態の携帯電話端末の概略的な外観正面図である。
【図２】本発明実施形態の携帯電話端末の概略的な外観側面図である。
【図３】本発明実施形態の携帯電話端末において、上部筐体と下部筐体を相対的に回転させた状態を示す外観図である。
【図４】本発明実施形態の携帯電話端末において、上部筐体と下部筐体の相対的角度を基準回転角度とすることで、着信待ち受け中となっている状態の説明に用いる図である。
【図５】本発明実施形態の携帯電話端末において、上部筐体と下部筐体の相対的角度を変更することで、アプリケーションの選択が可能となされている状態の説明に用いる図である。
【図６】本発明実施形態の携帯電話端末において、電子メールアプリケーションが起動し、電子メール文章の作成が可能となっている状態の説明に用いる図である。
【図７】子供の携帯電話端末から現在位置とテレビ電話映像信号が送信された場合において、親の携帯電話端末のディスプレイ画面上に地図と子供の現在位置及びテレビ電話映像のウィンドウが表示された例を示す図である。
【図８】本発明実施形態のクレードルの概略的な外観斜視図である。
【図９】本発明実施形態のクレードルと携帯電話端末とテレビジョン受像機の関係説明に用いる図である。
【図１０】本発明実施形態の携帯電話端末の概略的な内部構成を示すブロック図である。
【図１１】本発明実施形態のクレードルの概略的な内部構成を示すブロック図である。
【符号の説明】
【００８４】
１  携帯電話端末、２  上部筐体、３  下部筐体、４  ストラップ取り付け部、５  ディスプレイ、６  カメラ部、７  リング状回転ダイヤル部、８  三つのボタン、９  ストラップ紐、１０ａ〜１０ｄ  アプリケーション対応のアイコン、１１  カーソル、１２  メール文の文字列、１３，１３ａ  行対応のアイコン、１４，１４ａ  列の文字対応のアイコン、３０  制御部、３１  通信回路、３２  通信用のアンテナ、３３  表示部、３４  操作部、３５  メモリ部、３６  音声処理部、３７  画像処理部、３８  近距離無線通信部、４０  スピーカ、４１  マイクロホン、４２  ＧＰＳ部、４３  ＧＰＳ用アンテナ、４４  カメラ部、４５  ＬＥＤ部、４７  非接触通信・電力部、  ４８  コイルアンテナ、４９  パワーマネージメントＩＣ、５０  バッテリ、７０  制御部、７１  プリンタ部、７２  操作部、７３  非接触通信・給電部、７４  コイルアンテナ、７５  近距離無線通信部、７７  電話通信部、８０  クレードル、８１  端末受皿部筐体、８２  基台部筐体、８３  皿型凹部、８５  印刷ボタン、８６  再生ボタン、８７  プリント用紙、９０  テレビジョン受像機、１００  親の携帯電話端末のディスプレイ、１０１  子供のテレビ電話映像ウィンドウ１０１、１０２  現在位置、１０３、親のテレビ電話映像用のウィンドウ
【図１】
0004561555.tif 000002
【図２】
0004561555.tif 000003
【図３】
0004561555.tif 000004
【図４】
0004561555.tif 000005
【図５】
0004561555.tif 000006
【図６】
0004561555.tif 000007
【図７】
0004561555.tif 000008
【図８】
0004561555.tif 000009
【図９】
0004561555.tif 000010
【図１０】
0004561555.tif 000011
【図１１】
0004561555.tif 000012